(57)【要約】【課題】  ディスクケース類における軸部間の空所を、収納等の用途に活用可能とし、かつ容易に開閉し得るものとする。また既存のＣＤ等のディスクケース類の一部を交換するだけで、容易に実施可能なものとする。【解決手段】  ＣＤ等のディスクを収めることができる凹部を有する中板１２と、中板の上に位置する上板１１及び中板の下に位置する下板１３を有するディスクケース類において、上板１１と下板１３を軸結合する軸部を有し、その軸部間に存在している空所２１を開閉可能とするために、上板、中板又は下板のいずれかの板の、上記軸部間の空所２１を形成している一部分とそれ以外の部分との境界にヒンジ部２２を有する開閉片２３を設け、上記の空所２１は物品の収納に利用可能とする。ヒンジ部２３を中板１２に設けることにより、既存のＣＤケースの中板だけを交換してディスクケース類を構成することができる。【選択図】          図２
0003114038.tif 000002
【実用新案登録請求の範囲】
【請求項１】
ＣＤ等のディスクを収めることができる凹部を有する中板と、中板の上に位置する上板及び中板の下に位置する下板を有するディスクケース類において、上板と下板を軸結合する軸部を有し、その軸部間に存在している空所を開閉可能とするために、上板、中板又は下板のいずれかの板の、上記軸部間の空所を形成している一部分とそれ以外の部分との境界にヒンジ部を有する開閉片を設け、上記の空所を物品の収納に利用可能とした構成を有するヒンジ開閉式収納ポケット。
【請求項２】
ヒンジ部を中板に設け、それにより既存ＣＤケースの中板だけを交換してディスクケース類を構成し得るようにした請求項１記載のディスクケース類におけるヒンジ開閉式収納ポケット。
【請求項３】
ヒンジ部を上板に設けるとともに、ヒンジ部より外方の中板の一部分を除去した構成を有する請求項１記載のディスクケース類におけるヒンジ開閉式収納ポケット。
【請求項４】
ヒンジ部を下板に設けた構成を有する請求項１記載のディスクケース類におけるヒンジ開閉式収納ポケット。
【考案の詳細な説明】
【技術分野】
【０００１】
本考案は、ＣＤ等のディスクを収めることができる凹部を有する中板と、中板及び上板を有するディスクケース類におけるヒンジ開閉式収納ポケットに関するものである。
【背景技術】
【０００２】
例えば１枚のＣＤを収めるディスクケースにおいて、ＣＤのいわば表紙とでもいうべき紙片類は上板の内側の保持爪の間に差し込んで出し入れが可能になっており、また下板と中板の間には出し入れをしない紙片類が配置されている。そしてこの種のディスクケースのＣＤを保持する中板とその上下に位置する上板及び下板とから成る構成を有するものでは、ＣＤを出し入れするために上板が開閉可能になっており、その開閉のための軸部間には空所が存在している。
【０００３】
上記した開閉のための軸部間の空所は何も利用されておらず、このため、この空所を利用する提案がなされている。例えば実用新案登録第３０５３５６９号は、単なる空間でしかなかったＣＤ収納ケースのヒンジ部用空間内に装飾用や芳香用の充填材を配置するためのものである。同考案ではヒンジ部と称する細長い空間内に充填部材を配置するために内板と外板を取り外して空間を開く方法、空間のケース正面側の一部分を本体から分離可能な蓋部を設ける方法を取っている。内板と外板を取り外して空間を開く方法は面倒であ
り、蓋部を本体から分離したのでは紛失や破損のおそれがある。ケース部の一部にヒンジ部を介して開閉可能にした蓋部を有する例も開示されており、この場合紛失や破損のおそれはないが、利用可能な空間の容積が半減している。
【０００４】
【特許文献１】実用新案登録第３０５３５６９号
【考案の開示】
【考案が解決しようとする課題】
【０００５】
本考案は前記の点に着目してなされたもので、その課題は、ディスクケース類における軸部間の空所を、収納等の用途に活用することを可能にするとともに、開閉も容易なものとすることである。また本考案の他の課題は、既存のＣＤ等のディスクケース類の一部を交換するだけで容易に実施が可能なヒンジ開閉式収納ポケットを提供することである。
【課題を解決するための手段】
【０００６】
前記の課題を解決するため本考案は、ＣＤ等のディスクを収めることができる凹部を有する中板と、中板の上に位置する上板及び中板の下に位置する下板を有するディスクケース類において、上板を下板に軸結合する軸部を有し、その軸部間に存在している空所を開閉可能とするために、上板、中板又は下板のいずれかの板の、上記軸部間の空所を形成している一部分とそれ以外の部分との境界にヒンジ部を有する開閉片を設け、上記の空所を物品の収納に利用可能とするという手段を講じたものである。
【０００７】
本考案においてディスクケース類とは、ＣＤを収めるためのケースを含むことは勿論であるが、そればかりではなく、ＣＤを収める目的以外の例えばディスククリーニングキットが入ったケースのように形状、構造が類似しているものを含む。ただし、本考案のディスクケース類は、上板、中板及び下板を含む３枚以上の構成を有するものである。中板はＣＤ等を収めることができる凹部を有し、下板は中板の下に位置して中板を支え、上板は中板の上に位置して中板を覆い、凹部のＣＤを保護する。
【０００８】
このような構成を有するディスクケース類は、上板と下板が軸部により軸結合されていて開閉可能になっており、中板は下板に嵌め込まれた状態になっている。従って中板を改造し、既存のディスクケース類の中板と交換することにより、本考案を適用したディスクケース類となる。しかしながら、本考案は、中板だけではなく、上板にもまた下板にも設けることができる。
【０００９】
上記ディスクケース類の軸部間の空所は、中板と下板で形成されているケースが殆どであるので、軸部間の空所を形成している一部分とそれ以外の部分との境界にヒンジ部を有する開閉片を、中板又は下板に設けるのは容易である。しかし、軸部間の空所を形成している中板の一部を除去し、上板に軸部間の空所を開閉可能とするための開閉片を設けることも困難ではないので、本考案の目的とする収納ポケットの開閉片は上板、中板及び下板のどれに設けても良いことになる。
【００１０】
開閉片は、ヒンジ部によって上板、中板又は下板の、軸結合部の端部に設けられるが、ヒンジ部は構成板材の該当部分の肉を薄くして形成したいわゆる薄肉ヒンジの構造を取るのが、製造が容易であり、耐久性もあり、離脱の可能性もないので望ましい方法である。ただし、素材として、開閉を繰り返しても切断されにくい樹脂を選ぶことは必要であり、例えばポリプロピレン、ポリエチレンなどは薄肉ヒンジに適当である。その場合でもヒンジ開閉部を設ける板部分のみ異なる樹脂材料を使用すれば良いので、実施が容易である。なお、軸と軸受から成る従来の機械的ヒンジ構造を開閉片のヒンジ部に適用することも当然可能である。
【００１１】
開閉片を閉じたときにふらついたり外れたりしないように止めることも望ましいことである。そのための方法としては、開閉片に、隣接部分と接触する接触片を設け、隣接部分との間で摩擦や圧接状態を起して止める方法や、或いは突起とへこみないし段から成るクリックストップのように相互に係合して止まる方法などを使用することができる。
【００１２】
本考案において活用しようとする空間は、主として、上板と下板を軸結合する軸部間の細長い空所であり、その端部は、ＣＤを並べたり積み重ねたりしたときに外部から見得る位置にある。さらに、この細長い空所の内側には、ＣＤ等のディスクを収める凹部の周囲のほぼ３角形の浅い空所があり、細長い空所と通じているので、これを含めて利用可能な空間と考えることもできる。従って、本考案の対象となる軸部間の空所は細長い空所とほぼ３角形の空所から成るものとして扱っても良く、開閉片の大きさ形状も細長い空所から２箇所の３角形の空間までを開閉するもとすることができる。
【考案の効果】
【００１３】
本考案は上記のように構成されかつ作用するものであるから、ディスクケース類における軸部間の細長い空所を、上板、中板又は下板のどれかに設けた開閉片によって開閉可能に形成し、そこを任意の物品や紙片その他のものの収納ポケットとして利用することができ、開閉片の開閉も容易になし得るから使いやすいものとなる。また、ＣＤ等のディスク類の一部を交換するだけで良いので実施が容易であり実用性も高い。
【考案を実施するための最良の形態】
【００１４】
以下図面を参照して本考案をより詳細に説明する。図１〜図３は本考案の実施形態の例１に関するもので、上板１１、中板１２及び下板１３の３枚構造のディスクケース１０が対象になっている。例１の場合、ヒンジ開閉式収納ポケット２０の開閉片２３を中板１２の軸結合部１４に設けている。なお、軸結合部１４は、上板１１の端部アーム１５、１５に内向きに設けた軸１６、１６と、この軸１６、１６を回転可能に嵌め込むため下板１３の隅に設けた軸受の孔１７、１７とから成る。
【００１５】
中板１２はＣＤを収めることができる凹部１８を中心に有し、かつその周囲に位置するほぼ３角形の高まり１９を有しており、高まり１９の下部はほぼ３角形の空所になっていて、後述する細長い空所２１側に位置するものは空所２１に通じている。例１の場合、細長い空所２１は、下板１３の軸結合部１４側の端面と、軸受の孔１７を有する２面及び中板１２の軸結合部側の細長い領域によって規定され、内側は前記の３角形の空所に続いている。軸結合部１４側の細長い領域は、請求項1に記載している軸部間の空所２１を形成している中板１２の一部分であり、それ以外の部分との境界にヒンジ部２２を形成し、開閉片２３を設ける。
【００１６】
例１の開閉片２３は細長い空所２１を開閉可能に覆っており、閉じたときに不意に開かないように固定するために、開閉片２３の両端に接触片２４を設け、下板１３の軸受の孔１７を有し相対する２面に摩擦係合する構成を有している。例１の場合、収納ポケット２０へ収納したものを取り出すには上板１１を閉じたままでも、或いは開いてからでもどちらでも可能である。なお、２５は爪掛けであり、開閉片２３の開閉のために辺部に設けている。２８は閉じたときに摩擦係合する接触片を示す。
【００１７】
図４〜図６は本考案の実施形態の例２を示すもので、ヒンジ開閉式収納ポケット２０の開閉片２９を上板１１の軸結合部１４側に設けている。例２以下については、例１の場合と共通する構成については例１のものと同じ符号を使用して詳細な説明を省略し、相違する構成のみ異なる符号を使用して説明する。開閉片２９を上板１１に設ける例２の場合、例１で開閉片２３を設けた中板１２の軸結合部１４側の細長い領域を取り除いて側片２７のみ残し（残さず除去しても良い）、下板１３の細長い空所２１へ上板１１から直にアクセス可能であるように変更を加えている。
【００１８】
細長い空間２１は、下板１３の軸結合部１４側の領域と、同じ軸結合部１４側の端面
と、軸受の孔１７を有する２面で規定される。図４及び図５では下板１３の軸結合部１４側の端面を取り除いているが、強度維持のためにはこれを残しておいても良い。そして例２では上板１１の一部と他部の境界に相当する上板１１にヒンジ部３０を形成し、開閉片２９を設けている。例示の開閉片２９は軸結合部１４の端面まで覆うために断面Ｌ字型に形成されている。また、開閉片２９には、それを開く際の爪掛け３１と、閉じたとき摩擦係合する接触片３２を設けている。
【００１９】
図７〜図９は本考案の実施形態の例３を示すもので、ヒンジ開閉式収納ポケット２０の開閉片３３を下板１３の軸結合部１４側に設けている。例２と同様に例１と共通する符号を使用して説明すると、細長い空所２１は、中板１２の軸結合部１４側の領域と、同じ軸結合部１４側の両端の側片２７、２７とで規定され、下板１３の一部と他部との境界に相当する下板１３にヒンジ部３４を形成し、また前記の細長い空所２１の下部と軸結合部１４側の端面を覆うために開閉片３３をＬ字型断面形状に設けているものである。開閉片３３にはそれを開く際の爪掛け３５を閉じたときに摩擦係合するための接触片３６を設けている。
【００２０】
また上記３例において、開閉片２３、２９、３３を開閉可能とするヒンジ部２２、３０、３４は薄肉ヒンジとして説明した。しかしこれを軸結合部１４と同様の機械的ヒンジ構造として形成することも可能である。
【００２１】
このように構成されている本考案のヒンジ開閉式収納ポケット２０は例えばＣＤ販売時のノベルティ付き製品として適用することができる。収納するノベルティの例としてはアーティストのロゴプレートであるとか、アーティストのフィギュア（人形）などがある。またＣＤケースの形状を利用した製品展開に、本考案のヒンジ開閉式収納ポケット２０を適用することもでき、その場合にはＣＤクリーナーや湿式用クリーニング液の収納スペースとして、或いはＣＤケースをメモ帳やカレンダーとして利用したときの筆記用具入れともなるなど様々な用途、使用法を取り得る。
【図面の簡単な説明】
【００２２】
【図１】本考案に係るディスクケース類におけるヒンジ開閉式収納ポケットの例１を示す斜視図。
【図２】同上の分解斜視図。
【図３】同じく部分断面図。
【図４】同じく本考案の例２を示す斜視図。
【図５】同上の分解斜視図。
【図６】同じく部分断面図。
【図７】同じく本考案の例３を示す斜視図。
【図８】同上の分解斜視図。
【図９】同じく部分断面図。
【符号の説明】
【００２３】
１０  ディスクケース
１１  上板
１２  中板
１３  下板
１４  軸結合部
１５  端部アーム
１６  軸
１７  軸受の孔
１８  凹部
１９  ほぼ３角形の高まり
２０  収納ポケット
２１  空所
２２、３０、３４  ヒンジ部
２３、２９、３３  開閉片
２４、３２、３６  接触片
２５、３１、３５  爪掛け
２７  側片
【図１】
0003114038.tif 000003
【図２】
0003114038.tif 000004
【図３】
0003114038.tif 000005
【図４】
0003114038.tif 000006
【図５】
0003114038.tif 000007
【図６】
0003114038.tif 000008
【図７】
0003114038.tif 000009
【図８】
0003114038.tif 000010
【図９】
0003114038.tif 000011
【手続補正書】
【提出日】平成17年7月8日(2005.7.8)
【手続補正１】
【補正対象書類名】実用新案登録請求の範囲
【補正対象項目名】全文
【補正方法】変更
【補正の内容】
【実用新案登録請求の範囲】
【請求項１】
ＣＤ等のディスクを収めることができる凹部を有する中板と、中板の上に位置する上板及び中板の下に位置する下板を有するディスクケース類において、上板と下板を軸結合する軸部を有し、その軸部間に存在している空所を開閉可能とするために、上板、中板又は下板のいずれかの板の、上記軸部間の空所を形成している一部分とそれ以外の部分との境界にヒンジ部を有する開閉片を設け、上記の空所を物品の収納に利用可能とした構成を有するヒンジ開閉式収納ポケット。
【請求項２】
ヒンジ部を中板に設け、それによりＣＤを収めることができる凹部を有する中板と、中板の上に位置する上板と及び中板の下に位置する下板を有するＣＤケースの中板だけを交換してディスクケース類を構成し得るようにした請求項１記載のディスクケース類におけるヒンジ開閉式収納ポケット。
【請求項３】
ヒンジ部を上板に設けるとともに、ヒンジ部より外方の中板の一部分を除去した構成を有する請求項１記載のディスクケース類におけるヒンジ開閉式収納ポケット。
【請求項４】
ヒンジ部を下板に設けた構成を有する請求項１記載のディスクケース類におけるヒンジ開閉式収納ポケット。